(57)【要約】  コンテンツ共有システムは、共有サーバ装置とユーザ端末装置とを備える。前記共有サーバ装置は、通信回線網を介して前記ユーザ端末装置と情報を送受信する通信部と、共有コンテンツとなるコンテンツデータと、前記コンテンツデータの付帯情報と、ユーザの個人情報とを記憶するデータベース部と、前記データベース部が記憶する前記コンテンツデータを含む情報の処理に関して、処理要求が存在するか否かを判断する制御部と、前記処理要求が存在した場合に、前記処理要求を前記制御部から受け取って処理する処理部と、前記処理部に従属して、前記処理要求に対応する処理を実行する複数の従属処理部と、を備える。前記ユーザ端末装置は、前記通信回線網を介して前記共有サーバと情報を送受信する送受信部と、前記コンテンツデータに関する処理要求の入力を受け付ける端末入力部と、前記コンテンツデータに関する処理要求が存在する場合に、前記処理要求に対応する指令を作成して前記送受信部を介して前記共有サーバ装置に前記指令を送信するとともに、前記コンテンツデータ及び前記コンテンツデータの関連データを含む表示データを作成する端末制御部と、前記端末制御部が作成した前記表示データを表示する端末表示部と、を備える。
2013047071.tif 000002
【特許請求の範囲】
【請求項１】
共有サーバ装置とユーザ端末装置とを備えるコンテンツ共有システムであって、
前記共有サーバ装置は、
通信回線網を介して前記ユーザ端末装置と情報を送受信する通信部と、
共有コンテンツとなるコンテンツデータと、前記コンテンツデータの付帯情報と、ユーザの個人情報とを記憶するデータベース部と、
前記データベース部が記憶する前記コンテンツデータを含む情報の処理に関して、処理要求が存在するか否かを判断する制御部と、
前記処理要求が存在した場合に、前記処理要求を前記制御部から受け取って処理する処理部と、
前記処理部に従属して、前記処理要求に対応する処理を実行する複数の従属処理部と、を備え、
前記ユーザ端末装置は、
前記通信回線網を介して前記共有サーバ装置と情報を送受信する送受信部と、
前記コンテンツデータに関する処理要求の入力を受け付ける端末入力部と、
前記コンテンツデータに関する処理要求が存在する場合に、前記処理要求に対応する指令を作成して前記送受信部を介して前記共有サーバ装置に前記指令を送信するとともに、前記コンテンツデータ及び前記コンテンツデータの関連データを含む表示データを作成する端末制御部と、
前記端末制御部が作成した前記表示データを表示する端末表示部と、を備えるコンテンツ共有システム。
【請求項２】
前記複数の従属処理部は、第１処理部を備え、
前記第１処理部は、コンテンツデータを登録し、前記コンテンツデータを登録する時に、前記コンテンツデータの利用可能期間を設定する請求項１記載のコンテンツ共有システム。
【請求項３】
前記複数の従属処理部は、第２処理部をさらに備え、
前記第２処理部は、コンテンツデータが閲覧される回数に応じて、前記利用可能期間を延長する請求項２記載のコンテンツ共有システム。
【請求項４】
前記複数の従属処理部は、第３処理部をさらに備え、
前記第３処理部は、前記第２処理部による前記利用可能期間の延長を、１ユーザ当たり、前記コンテンツデータが閲覧又は保存された最初の１回に限定する請求項２記載のコンテンツ共有システム。
【請求項５】
前記複数の従属処理部は、第４処理部をさらに備え、
前記第４処理部は、コンテンツデータの前記利用可能期間を変更する請求項２記載のコンテンツ共有システム。
【請求項６】
前記複数の従属処理部は、第５処理部をさらに備え、
前記第５処理部は、コンテンツデータが採取されて登録された位置、又は前記位置の近傍と同じ場所から既登録されている他のコンテンツデータの登録状況に応じて、初期設定する利用可能期間を変化させる請求項２記載のコンテンツ共有システム。
【請求項７】
前記複数の従属処理部は、第６処理部をさらに備え、
前記第６処理部は、最新の状況に基づいてコンテンツデータの１つの登録状況が更新された時に、既登録のコンテンツデータの利用可能期間も、前記最新の状況に基づいて再設定する請求項２記載のコンテンツ共有システム。
【請求項８】
前記複数の従属処理部は、第７処理部をさらに備え、
前記第７処理部は、コンテンツデータを登録した時刻に基づいて、前記コンテンツデータの登録ユーザが他ユーザに前記コンテンツデータを閲覧させることを希望する公開時間帯を設定する請求項２記載のコンテンツ共有システム。
【請求項９】
前記複数の従属処理部は、第８処理部をさらに備え、
前記第８処理部は、前記公開時間帯を設定したコンテンツデータが採取されて登録された位置、又は前記位置の近傍と同じ場所から既登録されている他のコンテンツデータの登録状況に応じて、前記利用可能期間を再設定する請求項８記載のコンテンツ共有システム。
【請求項１０】
前記複数の従属処理部は、第９処理部をさらに備え、
前記第９処理部は、コンテンツデータの閲覧要求に閲覧希望時間帯が指定されている場合に、閲覧可能なコンテンツデータのリストとして、前記閲覧希望時間帯と一致する公開時間帯が設定されているコンテンツデータを抽出する請求項２記載のコンテンツ共有システム。
【請求項１１】
前記複数の従属処理部は、第１０処理部をさらに備え、
前記第１０処理部は、コンテンツデータを登録する時に、前記コンテンツデータの公開範囲を前記ユーザ端末装置が前記登録を行った位置を基準とした所定の公開範囲に限定する請求項２記載のコンテンツ共有システム。
【請求項１２】
前記複数の従属処理部は、第１１処理部をさらに備え、
前記第１１処理部は、コンテンツデータの公開範囲を、前記ユーザ端末装置からの、前記コンテンツデータの登録処理要求又は前記コンテンツデータの前記公開範囲の設定要求により設定する請求項２記載のコンテンツ共有システム。
【請求項１３】
前記複数の従属処理部は、第１２処理部をさらに備え、
前記第１２処理部は、コンテンツデータを登録する時に、コンテンツデータの公開範囲を、コンテンツデータが採取されて登録された位置、又は前記位置の近傍と同じ場所から既登録されている他のコンテンツデータの登録状況に応じて初期設定すると共に、前記ユーザ端末装置からの要求に応じて、前記初期設定された前記公開範囲の上限を再設定する請求項２記載のコンテンツ共有システム。
【請求項１４】
前記複数の従属処理部は、第１３処理部をさらに備え、
前記第１３処理部は、前記公開範囲の再設定に際し、前期公開範囲が再設定されるコンテンツデータが採取されて登録された位置、又は前記位置の近傍において閲覧可能な他のコンテンツデータについても、初期設定された公開範囲、若しくは公開範囲の上限を再設定する請求項１３記載のコンテンツ共有システム。
【請求項１５】
前記複数の従属処理部は、第１４処理部をさらに備え、
前記第１４処理部は、前記設定された公開範囲に応じて、初期設定されていた前記利用可能期間を変化させるか、若しくは前記利用可能期間の上限設定を変化させる請求項１３記載のコンテンツ共有システム。
【発明の詳細な説明】
【技術分野】
【０００１】
本発明は、コンテンツ共有システムに関する。本発明は、特に、コンテンツデータを登録した場所から所定の一定範囲内で近くに存在する他のユーザに、所定の利用期間内での閲覧やダウンロードを許可するコンテンツ共有システムに関する。
【背景技術】
【０００２】
近年、コンテンツデータを相互に閲覧やダウンロードを可能にするコンテンツ共有システムが開発されている。このコンテンツ共有システムは、ユーザ端末装置で作成したコンテンツデータを、コンテンツサーバに登録することで他の特定のユーザ端末装置との間でそのデータを共有する。このようなコンテンツ共有システムを使用することにより、例えば、特定場所を訪れた複数のユーザ間で、その特定場所に関わるコンテンツ（例えば、その特定場所の画像データ）を共有して、そのコンテンツを相互に閲覧やダウンロードを行うことが可能となる。このコンテンツを特定のユーザ間で視聴し合うことで、テキストデータ中心の電子データでは伝えにくい周囲の状況を、周囲の雰囲気なども含めて理解することが可能となる。これにより、ユーザ同士の相互理解と連携とを一層深めることができる。【０００３】
この分野の公知技術として、例えば、特許文献１には、運用者に負担をかけることなく、自動的にサービスの利用条件を変更できる情報処理システムが開示されている。具体的には、特許文献１には、ネットワークに接続されている情報処理装置にデータを保管するオンラインサービスシステムにおける保管情報の管理方法が開示されている。この管理方法は、第１の画像データ保存領域から第２の画像データ保存領域に画像データを移動させ、画像データのデータ量を計算し、計算されたデータ量に応じて、画像データを移動させる際の画像データの保管情報を変更する。【０００４】
例えば、特許文献２には、これまでよりも利便性が高く、また、娯楽性の高い、より有益なコンテンツの流通、利用が図られるようにする技術が開示されている。
具体的には、形式の異なるコンテンツファイルの間で、ヘッダの構造は共通である。このヘッダに、そのコンテンツを作成するのに利用したコンテンツファイルを示す情報や、アンサーコンテンツであることなどの、クリエータの作成意図に関わる他のコンテンツへの関係などが示される情報を格納する。１つのコンテンツと関連するコンテンツを検索する場合には、上記の情報を利用する。これにより、コンテンツの世代を軸とした検索を行ったり、クリエータの作成意図を軸としてコンテンツの検索を行ったりする。【０００５】
例えば、特許文献３には、共有リソースから目的のコンテンツをコンテンツ作成者以外でも容易に発見できるようにする技術が開示されている。具体的には、サーバがカメラから画像と分類情報を受信すると、その分類情報と画像ＤＢに登録済みの画像（１又は複数）に付帯する分類情報と、同一の項目ごとに照合し、その一致度を判定する。例えば、検索キーワードと分類名が一致、被写体名が一致、被写体場所が一致、もしくは撮影場所が一致すれば、その分類名、被写体名もしくは撮影場所を含む分類情報に対応する画像の格納ディレクトリのディレクトリ情報を、格納先候補情報に決定する。サーバが決定した格納先候補情報を、カメラに送信する。【０００６】
例えば、特許文献４には、場所に制限されることなく、登録した情報をユーザに提供できるようにする技術が開示されている。具体的には、認識器は、ユーザが端末装置で取得した対象物体の画像からカテゴリを認識する。サーバは、認識したカテゴリを端末装置に送信し、ユーザが選択したカテゴリ「固定電話」とそれに対応する付加情報を受信する。情報ＤＢは、「固定電話」の認識器に対応付けて付加情報を登録する。その後、認識器は、ユーザが端末装置で取得した対象物体の画像からカテゴリを認識する。サーバは、その対象物体の画像から「固定電話」のカテゴリを認識したら、情報ＤＢに登録されている付加情報を取得し、端末装置に送信する。特許文献４に開示の発明は、例えば、情報提供システムに適用することができる。【０００７】
例えば、特許文献５には、ネットワークを介して複数の利用者の間で画像（写真）を共有することで、現実の繋がりのあるコミュニティの構築を可能とする技術が開示されている。具体的には、表示端末が、画像蓄積／配信サーバに画像を送信する際、端末の設置位置情報、画像の撮影場所情報を付加して送信する。画像蓄積／配信サーバは、表示装置群からの画像と、その画像に付加されている設置位置情報、及び撮影位置情報とを対応付けて蓄積する。画像蓄積／配信サーバは、蓄積されている複数の画像の中から、該当する表示装置の設置位置、又は画像の撮影位置を検索条件とし、その検索条件と略同一の設置位置、又は撮影位置の画像を選択し、該当する表示装置の端末装置に送信する。表示装置は、画像蓄積／配信サーバから送信されてくる画像を受信して保存する。
【先行技術文献】
【特許文献】
【０００８】
【特許文献１】日本国特開２００５−０４９９３３号公報
【特許文献２】日本国特開２００９−２４５１７８号公報
【特許文献３】日本国特開２０１０−０７９７８８号公報
【特許文献４】日本国特開２０１１−０３９６４７号公報
【特許文献５】日本国特開２０１１−０７６４２７号公報
【発明の概要】
【発明が解決しようとする課題】
【０００９】
しかしながら、上記で述べた公知のコンテンツ共有システムにあっては、登録されたコンテンツデータの有効性が評価されていない。この問題は、前述の特許文献１〜５記載の技術も含めてデータベース一般に見られる。有効期限の切れたコンテンツデータが、そのまま登録されたままになっているといった問題点が有る。即ち、公知のコンテンツ共有システムは、登録されている情報の有用性を判定することができない。また、一度登録した情報は、ユーザ操作により削除が実施されない限り存続するため、古い情報と新しい情報とが混在する。このため、登録されている情報全体の信頼度を高めることが難しいという問題点を有している。【００１０】
また、必ずしもユーザにとって有益ではないコンテンツデータや、必要性の薄いコンテンツデータが、共有サーバから一方的に送り付けられて来るといった問題点がある。この場合は、ユーザにとっては送られてくるコンテンツデータは陳腐であり、迷惑である。それだけでなく、システムに無駄な処理負担を生じさせる。さらには、ユーザにとって本当に有益なコンテンツデータを見逃してしまうといった問題点も生じる。また、共有サーバ装置に登録されているコンテンツデータの数が増えてくると、一覧性や検索性が悪化するという問題点が有った。【００１１】
現在のユーザにとって有益なコンテンツデータか否かは、そのコンテンツデータが採取された場所と、そのユーザの現在位置との関係で決まることも多い。しかしながら、公知のコンテンツ共有システムは、上記のような位置関係は考慮していない。したがって、ユーザがコンテンツデータを受信しても、そのユーザの現在位置によっては、そのコンテンツデータが陳腐となっていたり、以後のユーザの行動には役立たない場合が生じるといった問題点が有った。【００１２】
特許文献３記載の技術は、コンテンツを分類し、種別毎にディレクトリ名を付け、それぞれのディレクトリを分けて保存するコンテンツ管理装置に関する発明であり、本発明の権利範囲および内容とは異なる。【００１３】
本発明の目的の一例は、上述した課題を解決するコンテンツ共有システムを提供することにある。
【課題を解決するための手段】
【００１４】
上記課題を解決するために、本発明の実施態様に係るコンテンツ共有システムは、共有サーバ装置とユーザ端末装置とを備える。前記共有サーバ装置は、通信回線網を介して前記ユーザ端末装置と情報を送受信する通信部と、共有コンテンツとなるコンテンツデータと、前記コンテンツデータの付帯情報と、ユーザの個人情報とを記憶するデータベース部と、前記データベース部が記憶する前記コンテンツデータを含む情報の処理に関して、処理要求が存在するか否かを判断する制御部と、前記処理要求が存在した場合に、前記処理要求を前記制御部から受け取って処理する処理部と、前記処理部に従属して、前記処理要求に対応する処理を実行する複数の従属処理部と、を備える。前記ユーザ端末装置は、前記通信回線網を介して前記共有サーバと情報を送受信する送受信部と、前記コンテンツデータに関する処理要求の入力を受け付ける端末入力部と、前記コンテンツデータに関する処理要求が存在する場合に、前記処理要求に対応する指令を作成して前記送受信部を介して前記共有サーバ装置に前記指令を送信するとともに、前記コンテンツデータ及び前記コンテンツデータの関連データを含む表示データを作成する端末制御部と、前記端末制御部が作成した前記表示データを表示する端末表示部と、を備える。
【発明の効果】
【００１５】
以上説明したように、本発明のコンテンツ共有システムによれば、共有サーバ装置に登録したコンテンツデータ全体の信頼度を高めることができる効果が有る。
【図面の簡単な説明】
【００１６】
【図１】本発明の実施形態に係るコンテンツ共有システムの全体構成を示す構成図である。
【図２】図１に示す共有サーバ装置に登録されるコンテンツデータの一例を示す説明図である。
【図３】図１に示すユーザ端末装置から共有サーバ装置に送られる指令に含める「コンテンツ通知希望・設定データ」の一例を示す説明図である。
【図４】図１に示す共有サーバ装置に登録されるユーザ情報の一例を示す説明図である。
【図５】図１に示すユーザ端末装置の動作手順を示すフローチャート図である。
【図６】図１に示す共有サーバ装置の動作手順を示すフローチャート図である。
【発明を実施するための形態】
【００１７】
本発明の実施形態に係るコンテンツ共有システムは、コンテンツデータを登録する際に、共有コンテンツとなるコンテンツデータと、コンテンツデータの付帯情報とを、共有サーバ装置に整理して蓄積させておく。コンテンツデータの付帯情報には、少なくとも、種別、登録日時、登録位置情報（コンテンツデータを採取及び登録した場所の位置情報）、コンテンツＩＤ情報、作成者ＩＤ情報、利用可能期間、公開範囲、閲覧可能時間帯、及び閲覧回数が含まれる。
この後、例えば、コンテンツ共有システムは、その登録した場所を基準として、その場所から所定の一定範囲内で近くに存在する他のユーザに所定の利用期間内での閲覧やダウンロードを許可する。
【００１８】
このように構成することにより、登録したコンテンツデータは、前記所定の一定範囲内で近くに存在する他のユーザ、若しくはコンテンツデータの登録時点以降に同範囲の場所を訪れている他のユーザに対して、所定の利用期間内での閲覧を可能とする。また、このように構成することにより、コンテンツデータを取得したユーザは、そのコンテンツデータと共にそのコンテンツデータを採取した場所の雰囲気等を自己の五感で感じながらそのコンテンツデータを閲覧することが可能となる。これにより、ユーザ間での感覚的な共有まで可能となる。その結果、特定の複数ユーザ間での相互連携の度合いを、より一層深めることができる。
【００１９】
より具体的には、共有サーバ装置に登録して共有するコンテンツデータは、特定場所においてユーザが作成したコンテンツデータ（例えばカメラで撮影した画像データなど）である。このコンテンツデータは、付帯情報と共に共有サーバ装置に登録する。この付帯情報は、例えば、登録位置情報、コンテンツＩＤ情報、作成者ＩＤ情報等であってもよい。以下、本発明の実施形態に係るコンテンツ共有システムついて、図面を参照して詳細に説明する。
【００２０】
図１は、本発明の実施形態に係るコンテンツ共有システムの全体構成を示す図である。本コンテンツ共有システムは、コンテンツデータを登録すると共に登録したコンテンツデータを条件に応じて検索する共有サーバ装置１と、複数のユーザ端末装置２と、共有サーバ装置１とユーザ端末装置２各々とを通信可能に接続する通信回線網３０とを備える。
【００２１】
共有サーバ装置１は、制御部１０、通信部１１、データベース部１２、入力部１３、表示部１４、処理部Ｐ０、及び第１処理部Ｐ１〜第３１処理部Ｐ３１（複数の従属処理部）を備える。制御部１０は、全体を制御する。通信部１１は、複数のユーザ端末装置２と通信回線網３０を介した通信を可能にするプロトコルを備える。データベース部１２は、登録されたコンテンツデータを記憶する。入力部１３は、管理者の指令やデータを入力する。表示部１４は、管理者用の情報やデータの表示を行う。処理部Ｐ０は、複数のユーザ端末装置２からの要求に応じて、登録されたコンテンツデータの検索を含む処理を行う。第１処理部Ｐ１〜第３１処理部Ｐ３１は、処理部Ｐ０に属する。
【００２２】
複数のユーザ端末装置２の各々は、ＣＰＵ２０、送受信部２１、記憶部２２、端末入力部２３、端末表示部２４、及びＧＰＳ(global positioning system)部２５を備える。ＣＰＵ２０は、共有サーバ装置１への要求を示す指令を作成すると共に、ユーザ端末装置２全体を制御する。送受信部２１は、共有サーバ装置１との通信回線網３０を介した通信を可能にするプロトコルを備える。記憶部２２は、ダウンロードしたコンテンツデータ等を記憶する。端末入力部２３は、ユーザの指令やデータを入力する。端末表示部２４は、ユーザ用の情報やデータの表示を行う。ＧＰＳ部２５は、自己（ユーザ端末装置２）の存在位置（位置情報）を常時取得する。
【００２３】
ユーザ端末装置２は、携帯電話装置、携帯端末装置、ゲーム装置等であって良い。通信回線網３０は、携帯電話回線網、公衆通信回線網、無線通信網、インターネット網、ＬＡＮ等を含んでも良い。
【００２４】
以下、本実施形態に係るコンテンツ共有システムの機能を説明する。登録すべきコンテンツデータは、ユーザ端末装置２等を介して、共有サーバ装置１に送信される。共有サーバ装置１は、そのコンテンツデータをデータベース部１２に格納することで登録する。コンテンツデータの閲覧や保存を希望するユーザは、自己が携帯するユーザ端末装置２の位置情報と、ユーザ情報と、希望するコンテンツデータを検索するための設定データ（ここでは、図３に示すコンテンツ通知希望・設定データ）とを共有サーバ装置１へ通知する。そして、ユーザ端末装置２は、共有サーバ装置１から閲覧可能なコンテンツデータのリストを受信し、コンテンツデータを選択および指定することでそのデータを閲覧又はダウンロード保存を行う。
【００２５】
ユーザ端末装置２からの自動通知と、共有サーバ装置１における上記通知の自動受信と、共有サーバ装置１の自発的な判断による処理が基本的な処理動作である。しかしながら、ユーザ端末装置２からユーザ操作に基づいて作成された指令を共有サーバ装置１が受信した場合の処理動作も行われる。ユーザ端末装置２からユーザ操作に基づいて指令を作成する場合、各ユーザ端末装置２は、端末入力部２３を介して入力されたユーザ指令の各々に応じて、共有サーバ装置１への要求を示す指令を作成し、その指令を送受信部２１を介して共有サーバ装置１へ送信する。コンテンツデータの閲覧や保存に関する指令の場合は、その指令に、図３に示す「コンテンツ通知希望・設定データ」も含められる。
【００２６】
ユーザは、ユーザ端末装置２を介して、１つ以上の指令を共有サーバ装置１へ送信することができる。これらの指令が互いに矛盾していないか否かの検証はユーザ責任である。共有サーバ装置１は、自発的な判断により処理すべき処理要求が存在する場合、若しくはユーザ端末装置２からの１つ以上の指令による処理要求を受信した場合に、その処理要求を処理部Ｐ０に送出する。処理部Ｐ０は、その処理要求を機能別に分類し、第１処理部Ｐ１〜第３１処理部Ｐ３１に割り当てる。第１処理部Ｐ１〜第３１処理部Ｐ３１の各々は、割り当てられた処理要求を、順次、若しくは他の処理部と同時に実行する。
【００２７】
次に、共有サーバ装置１は、第１処理部Ｐ１〜第３１処理部Ｐ３１で処理された処理結果を、処理部Ｐ０から受け取り、通信部１１を介して指令発信元のユーザ端末装置２に応答する。ユーザ端末装置２は、端末入力部２３を介してのユーザ指令が入力されなくとも、装置の内部状態が所定の処理すべき処理要求の条件を満たす場合は、自動的に指令を作成して、共有サーバ装置１に送信する。共有サーバ装置１は、この指令を受け付けて、上記と同様に、処理を行う。
【００２８】
ユーザ端末装置２は、ＧＰＳ部２５を介して常時取得した自己の存在場所（位置情報）を、常時、共有サーバ装置１に送信する。共有サーバ装置１は、これにより、ユーザ端末装置２の存在場所（位置情報）を常時把握する。ユーザ端末装置２の存在場所（位置情報）は、前述のとおり、ユーザ端末装置２からの指令送信時にも、共有サーバ装置１に通知される。
【００２９】
図２は、登録されるコンテンツデータの一例を示す説明図である。図２に例示するコンテンツデータでは、登録すべきデータ項目として、基本情報に、「コンテンツＩＤ」、「登録者」、「名称」、「コンテンツデータ」、「種別」、「登録場所」、及び「登録日時」、が設定されている。利用可能期間として、「初期設定期間」と「延長時間」とが設定されている。閲覧情報として、「被閲覧回数」、「閲覧可能回数」、及び「既閲覧ユーザＩＤ」、が設定されている。保存に関する情報として、「被保存回数」、「保存可能回数」、及び「既保存ユーザＩＤ」、が設定されている。公開に関する設定情報として、「公開範囲」と「公開対象」とが設定されている。
【００３０】
図３は、指令に含める「コンテンツ通知希望・設定データ」の一例を示す説明図である。図３に例示する「コンテンツ通知希望・設定データ」では、データ項目として、基本情報（基本データ）に、「通知件数」、「検索時間」、「検索場所」、及び「検索範囲」、が設定されている。検索対象のコンテンツデータを示す情報として、「種別」、「登録場所」、及び「時間帯設定」、が設定されている。検索対象のユーザ情報として、「ユーザＩＤ」、「性別」、「年齢」、「職業」、及び「出身地」、が設定されている。
【００３１】
図４は、登録されるユーザ情報の一例を示す説明図である。図４に例示するユーザ情報では、データ項目として、「ユーザＩＤ」、「氏名」、「性別」、「年齢」、「職業」、及び「出身地」、が設定されている。
【００３２】
以下、本実施形態のコンテンツ共有システムの機能を、これを実現する第１処理部Ｐ１〜第３１処理部Ｐ３１の各々の処理に対応させて説明する。
（機能１）
機能１は、登録に関する。この機能は、共有するコンテンツに対する利用可能期間の制限を設ける。コンテンツデータの共有サーバ装置１への登録時に、共有サーバ装置１により、コンテンツデータの利用可能期間が、所定の期間に初期設定される。
【００３３】
この初期設定では、全てのコンテンツデータに対して同一の利用可能期間が設定される。以後、この利用可能期間を過ぎたコンテンツデータは利用不可となり、ユーザには公開されなくなる。この機能は、共有サーバ装置１がユーザ端末装置２を常時監視することで実現することができる。或いは、ユーザ端末装置２に使用させる閲覧用のアプリケーションに、利用可能期間を過ぎたコンテンツデータを利用不可とする機能を含めることにより実現可能である。
【００３４】
ユーザが、共有サーバ装置１から、自己が携帯するユーザ端末装置２にダウンロードして、記憶部２２に保存したコンテンツデータであっても、上記の利用可能期間を過ぎると利用不可となり、ユーザが閲覧できなくなる。ユーザ端末装置２は、この機能に対応する要求を、指令として共有サーバ装置１に送信する。共有サーバ装置１は、その指令された処理を、第１処理部Ｐ１で実行することで上記機能を実現する。このように構成したことにより、現在の状況との不一致が大きい情報（古い情報）が流通することによる弊害（例えば、データベースの陳腐化と、サービスの質の低下）とを防止することができる。
【００３５】
（機能２）
機能２は、コンテンツデータの利用可能期間の延長に関する。この機能は、コンテンツデータが閲覧される回数に応じて、コンテンツデータを利用可能な期間を延長する。コンテンツデータには、図２に示すように、その利用可能期間が初期設定されている。利用可能期間を過ぎるとそのコンテンツデータは利用できなくなる。しかしながら、利用可能な期間内に、他のユーザによってコンテンツデータが閲覧されたり、ダウンロードして保存された場合に、共有サーバ装置１は、それぞれの実施回数に応じて、所定の一定期間だけ、そのコンテンツデータの利用可能な期間を延長する。コンテンツデータが保存された場合は、コンテンツデータが閲覧された場合よりも延長期間が長くなるように設定することも可能である。閲覧された回数はカウントせず、ユーザの機器へコンテンツデータが保存された回数だけをカウントするように限定しても良い。
【００３６】
共有サーバ装置１上のコンテンツデータの利用期間だけでなく、ユーザ端末装置２に保存されているコンテンツデータの利用期間も延長される。共有サーバ装置１では、この機能２の提供に必要な処理を、第２処理部Ｐ２で実行する。このように構成したことにより、閲覧又は保存された回数が多いコンテンツデータは、利用可能期間が延長されて、長期間に渡って共有し、利用することができる。逆に、閲覧されることの無いコンテンツデータは、利用可能期間を延長してまでは利用できなくなることで、ユーザにとって価値の低いコンテンツデータは自動的に淘汰される。その結果、価値の高い優良コンテンツデータだけを数多く共有して、利用することができる。
【００３７】
（機能３）
機能３も、コンテンツデータの利用可能期間の延長に関する。この機能は、利用可能期間の延長の処理を、１ユーザ当たり、１ユーザによる閲覧又は保存が行われた最初の１回に対してのみ実施する。ユーザ端末装置２からの要求により、コンテンツデータの閲覧又は保存が行われた場合、共有サーバ装置１は、その要求を示す指令により通知されたユーザ情報から、閲覧又は保存したユーザのユーザＩＤを抽出する。抽出したユーザＩＤを既閲覧ユーザＩＤ又は既保存ユーザＩＤとしてコンテンツデータ情報（図２）に登録する。
【００３８】
閲覧又は保存が行われた場合には、共有サーバ装置１は、通知されたユーザＩＤとコンテンツデータ情報に登録されている既閲覧ユーザＩＤ又は既保存ユーザＩＤとの照合を行い、その閲覧又は保存が最初の１回か否かの判定を行う。共有サーバ装置１では、この機能３の提供に必要な処理を、第３処理部Ｐ３で実行する。このように構成したことにより、同一ユーザによる同一コンテンツデータの複数回に渡る閲覧又は保存によって、コンテンツデータの価値を高く判断してしまう誤りや、ユーザによって不正に利用可能期間が延長されることを防止することができる。これにより、コンテンツデータの価値を高く見せる行為を防止することができる。
【００３９】
（機能４）
機能４は、コンテンツデータを登録したユーザの操作により、コンテンツデータの利用可能期間を変更できるようにする。ユーザ端末装置２は、この機能４に対応する要求を、指令として共有サーバ装置１に送信し、共有サーバ装置１は、その指令を、第４処理部Ｐ４で実行することで機能４を実現する。
【００４０】
このように構成したことにより、初期設定期間よりも早期にコンテンツの公開を終了したい場合や、利用可能期間が延長され続けている状態のコンテンツデータの公開を終了したい場合に、公開を終了させることができる。また、例えば、ポイント制度を導入し、所定ポイントを獲得した場合などの特定条件を満たした場合にのみ、ユーザ操作により利用可能期間を延長させることで、ユーザのサービスへの参加意欲を高めることが可能になる。
【００４１】
（機能５）
機能５は、同一の位置又は近傍のエリアにおける、コンテンツデータの登録状況により、初期設定される利用可能期間を変化させる。共有サーバ装置１は、コンテンツデータが登録された時点で、同一場所から登録された既登録のコンテンツデータ数が所定の一定数よりも多い場合は、利用可能期間が短くなるように初期設定する。一方、共有サーバ装置１は、同一場所から登録された既登録のコンテンツデータ数が所定の一定数よりも少ない場合には、利用可能期間が長くなるように初期設定する。
【００４２】
共有サーバ装置１では、この機能５の提供に必要な処理を、第５処理部Ｐ５で実行する。このように構成したことにより、同一場所におけるコンテンツデータの、登録時点における既登録件数で利用可能期間を調整することが可能となる。ゆえに、コンテンツデータの有用性と登録件数とのバランスを良くすることができる。
【００４３】
（機能６）
機能６は、コンテンツデータが、最新の状況に基づいて初期設定される際に、既登録のコンテンツデータの利用可能期間を、最新の状況に合わせて再設定する。共有サーバ装置１は、最新の状況に基づき初期設定される利用可能期間よりも登録済みのコンテンツデータの初期設定されている利用可能期間が長い場合、登録済みのコンテンツデータの利用可能期間を、最新状況に基づき初期設定される利用可能期間よりも短く再設定する。但し、登録済みのコンテンツデータの利用可能期間に関して、コンテンツデータの閲覧により、延長されている期間の分は、再設定の対象外とする。
【００４４】
共有サーバ装置１では、この機能６の提供に必要な処理を、第６処理部Ｐ６で実行する。このように構成したことにより、新しく登録するコンテンツデータの利用可能期間が、閲覧されていない登録済みのコンテンツデータの利用可能期間よりも短くなることを防止することができる。
【００４５】
（機能７）
機能７は、コンテンツデータを登録した時刻を基準として、他のユーザへの閲覧を可能にするタイミングを、所定の幅を持つ公開希望時間帯に設定する。公開希望時間帯は、自動で設定してもよく、ユーザ端末装置２を介したユーザ設定によって、そのユーザが希望する任意の時間帯に設定してもよい。また、登録した時刻とは異なる時刻を基準として、公開希望時間帯を指定してもよい。
【００４６】
共有サーバ装置１では、この機能７の提供に必要な処理を、第７処理部Ｐ７で実行する。例えば、あるユーザが、夜景を撮影したコンテンツデータを夜間に登録する場合、その登録時の時刻を基準とする夜の時間帯に閲覧可能と設定する。この設定により、他のユーザは、同じ環境でコンテンツデータの閲覧を行うことになる。このようにして、両者間の感情の共有度合いをより一層深めることができる。
【００４７】
（機能８）
機能８は、利用可能期間を指定して登録するコンテンツデータについて、同一の位置又は近傍のエリアにおける登録状況により、初期設定する利用可能期間を変化させる。登録状況が更新されると、登録済みのコンテンツデータの利用可能期間も、最新の状況に合わせて再設定する。同一の位置又は近傍のエリアにおける登録状況に基づいて初期設定される利用可能期間よりも、登録済みのコンテンツデータの初期設定されている利用可能期間が長い場合、登録済みのコンテンツデータの利用可能期間を、登録状況に基づき初期設定される利用期間よりも短く再設定する。但し、登録済みのコンテンツデータの利用可能期間に関して、コンテンツデータの閲覧により、延長されている期間の分は、再設定の対象外とする。
【００４８】
共有サーバ装置１では、この機能８の提供に必要な処理を、第８処理部Ｐ８で実行する。このように構成したことにより、同一の位置又は近傍のエリアにおける登録状況に基づいて新しく登録するコンテンツデータの利用可能期間が、閲覧されていない登録済みのコンテンツデータの利用可能期間よりも短くなることを防止することができる。
【００４９】
（機能９）
機能９は、閲覧希望時間帯を設定する機能である。コンテンツデータの閲覧を希望するユーザは、ユーザ端末装置２を介して、共有サーバ装置１に、この閲覧希望時間帯を設定する要求に対応する指令を送信する。共有サーバ装置１は、この指令を受けて、コンテンツ通知希望・設定データ（図３）の、時間帯設定（閲覧を希望する時間帯設定）を設定する。この指令は、ユーザ端末装置２から共有サーバ装置１への位置情報通知時に同時に送信する。共有サーバ装置１は、閲覧可能なコンテンツデータのリストを作成する際に、要求された閲覧希望時間帯に一致する公開希望時間帯が設定されたコンテンツデータを抽出し、リストを作成する。そして、共有サーバ装置１は、現在時刻と閲覧希望時間帯とが一致する場合に、閲覧希望ユーザ（ユーザ端末装置２）に閲覧可能なコンテンツデータのリストを送信する。
【００５０】
共有サーバ装置１では、この機能９の提供に必要な処理を、第９処理部Ｐ９で実行する。このように構成したことにより、閲覧を希望するユーザが、共有サーバ装置１からの通知を受けたい時間帯を設定することができる。また、閲覧したいコンテンツデータの検索範囲を、時間帯をキーにして任意に設定することができる。このようにして、ユーザが、不要なコンテンツデータの通知を受ける弊害を防止することができる。
【００５１】
（機能１０）
機能１０は、共有するコンテンツに公開範囲の制限を設ける。ユーザが、ユーザ端末装置２を介してコンテンツデータを共有サーバ装置１へ登録した際に、共有サーバ装置１では、コンテンツデータを閲覧可能とする位置の範囲を、コンテンツデータを登録した場所から、所定の公開範囲に渡る範囲として初期設定する。この初期設定時には、全てのコンテンツデータに対して同一の公開範囲を設定する。該当する公開範囲内に存在するユーザ端末装置２に対しては、共有サーバ装置１から閲覧可能なコンテンツデータのリストが送信される。
【００５２】
この送信後、コンテンツデータの閲覧を希望するユーザは、閲覧可能なコンテンツデータのリストからコンテンツを選択することでそのコンテンツの閲覧が可能になる。また、共有サーバ装置１から送信されるコンテンツデータを、自己が携帯するユーザ端末装置２等に保存することが可能となる。ユーザが携帯するユーザ端末装置２に保存したコンテンツデータは、そのユーザが公開範囲の外に移動した後でも閲覧を可能にする。
【００５３】
共有サーバ装置１では、この機能１０の提供に必要な処理を、第１０処理部Ｐ１０で実行する。このようにして、例えば、東京タワー（登録商標）に関するコンテンツデータなど、位置が少し離れていても作成者の意図が十分に伝達できる場合や、ユーザが容易にコンテンツの登録位置に移動できる場合など、より幅の広い状況におけるコンテンツデータの共有を可能にする。また、ユーザの現在の位置と無関係なコンテンツデータが多量に通知されることによるユーザの不利益の発生と、コンテンツ共有システムの信頼性の低下とを共に防止することができる。
【００５４】
（機能１１）
機能１１は、コンテンツデータの登録時に、コンテンツデータの登録ユーザが、コンテンツデータの公開範囲（図２参照）を任意に設定できるようにする。コンテンツデータの公開範囲は、ユーザ端末装置２からのコンテンツデータの登録時に設定することができる。コンテンツデータの登録後に、コンテンツデータの登録ユーザによるユーザ端末装置２の操作で作成された該当指令を、共有サーバ装置１に送信することにより、コンテンツデータの公開範囲を変更することもできる。
【００５５】
共有サーバ装置１では、この機能１１の提供に必要な処理を、第１１処理部Ｐ１１で実行する。このように構成したことにより、閲覧可能とするユーザ位置の範囲を狭めることで、特定の条件のユーザに対してコンテンツデータを伝達することが可能となる。その結果、コンテンツデータを作成したユーザの意図を、より効果的に伝えることが可能となる。また、対象とするユーザ位置の有効範囲を広めることで、多くのユーザからコンテンツデータが閲覧される可能性を高めることができる。
【００５６】
（機能１２）
機能１２は、コンテンツデータの登録時に、コンテンツデータを登録する位置の近傍における、コンテンツデータの既登録数に応じて、コンテンツデータの公開範囲を自動的に初期設定する。また、機能１２は、ユーザによるユーザ端末装置２の操作で作成された該当指令（公開範囲の設定を含む）が、共有サーバ装置１に送信された時に、公開範囲の上限を制限する設定を行う。コンテンツデータが採取された登録場所において、閲覧可能な他の既登録コンテンツデータの密度が高い場合には公開範囲を狭く設定する。一方で、コンテンツデータが採取された登録場所において、閲覧可能な他の既登録コンテンツデータの密度が低い場合には公開範囲を広く設定する。
【００５７】
共有サーバ装置１では、この機能１２の提供に必要な処理を、第１２処理部Ｐ１２で実行する。このようにして、ユーザに通知されるコンテンツデータの数量が大量になることで、そのユーザがコンテンツデータの選択が困難となることを防止することができる。また、よりユーザの状況に近いコンテンツが通知されることで、コンテンツの共有を可能にする本システムの有用性を高めることができる。
【００５８】
（機能１３）
機能１３は、コンテンツデータの登録数の変化により、公開範囲を再設定する際に、再設定の契機となったコンテンツデータが登録された場所又はその近傍において閲覧可能であった他のコンテンツデータの初期設定された公開範囲、又は公開範囲設定の上限をも再設定する。共有サーバ装置１では、この機能１３の提供に必要な処理を、第１３処理部Ｐ１３で実行する。このように構成したことにより、コンテンツデータの公開範囲の設定条件に、コンテンツデータの登録順によって、公平さを欠いた不均衡が発生することを防止することができる。
【００５９】
（機能１４）
機能１４は、コンテンツデータを登録する際に、登録ユーザが公開範囲を任意に設定した場合、その設定された公開範囲に応じて、利用可能期間の初期設定の期間を変化させるか、若しくは利用可能期間の上限設定を変化させる。公開範囲が狭い場合には利用可能期間は長く設定する。公開範囲が広い場合には利用可能期間は短く設定する。共有サーバ装置１では、この機能１４の提供に必要な処理を、第１４処理部Ｐ１４で実行する。このように構成したことにより、公開範囲の広さや狭さにより生じる、コンテンツデータが閲覧又は保存される割合の不均衡を低減される。その結果、有用性の指標でコンテンツデータが評価されるようにすることができる。また、公開範囲（広いか、それとも狭いか）に応じて、利用可能期間を延長又は終了できるようにする。
【００６０】
（機能１５）
機能１５は、共有サーバ装置１が受信した、閲覧ユーザの位置情報に対応するコンテンツデータが、複数存在する時には、公開範囲が狭く設定されているコンテンツデータを、他よりも優先させてユーザへ提供する。共有サーバ装置１では、この機能１５の提供に必要な処理を、第１５処理部Ｐ１５で実行する。このように構成したことにより、閲覧ユーザの位置的な状況に、よりマッチしたコンテンツデータを提供することができる。その結果、コンテンツの共有を可能にする本システムの有用性を高めることができる。
【００６１】
（機能１６）
機能１６は、閲覧又は保存によって利用可能期間が延長されることにより、長期間に渡って存続しているコンテンツは、共有サーバ装置１により公開範囲を再設定する。共有サーバ装置１の基本動作としては、上記に該当するコンテンツの公開範囲は広く再設定する。しかしながら、コンテンツの公開範囲は、コンテンツの種別により、又は登録ユーザの設定により、広くすることも狭くすることも可能である。
【００６２】
共有サーバ装置１では、この機能１６の提供に必要な処理を、第１６処理部Ｐ１６で実行する。このように構成したことにより、有用なコンテンツデータを、より幅広いユーザに利用してもらうことができる。コンテンツの公開範囲を狭くする設定をした場合には、そのコンテンツは人気は有るが見つけ難いコンテンツデータとして保有される。このようにして、このようなコンテンツデータを探すことをイベントとして楽しんで貰うことや、特定の場所とコンテンツデータとの結び付きをより高めて貰えることなど、種々の効果を伴う利用方法を提供することができる。
【００６３】
（機能１７）
機能１７は、登録ユーザの設定により、コンテンツデータの閲覧又は保存が可能な回数に制約を設けることを可能する。さらに、機能１７は、閲覧可能又は保存可能な残りの回数に応じて、共有サーバ装置１がコンテンツデータの公開範囲を再設定する。コンテンツの種別によって、又は登録ユーザの設定により、コンテンツデータの公開範囲は、広くも狭くも再設定できる。
【００６４】
共有サーバ装置１では、この機能１７の提供に必要な処理を、第１７処理部Ｐ１７で実行する。このように構成したことにより、コンテンツデータの閲覧可能又は保存可能な残りの回数に応じて、例えば、イベント性の高いコンテンツデータを提供できるなど、種々の効果を伴う利用方法を提供することができる。
【００６５】
（機能１８）
コンテンツデータの閲覧を希望するユーザは、コンテンツ通知希望・設定データ（図３参照）に閲覧希望場所を設定した指令を作成すると共に、ユーザ端末装置２を介した共有サーバ装置１への位置情報通知時にその指令を送信する。共有サーバ装置１は、閲覧可能なコンテンツデータのリストを作成する際に、閲覧希望場所に一致する公開範囲が設定されたコンテンツデータを抽出して、そのリストを作成する。このリストを作成した後、共有サーバ装置１は、ユーザ端末装置２の現在の場所と閲覧希望場所とが一致する場合に、その閲覧希望ユーザに、閲覧可能なコンテンツデータを掲載した上記リストを送信する。
【００６６】
共有サーバ装置１では、この機能１８の提供に必要な処理を、第１８処理部Ｐ１８で実行する。このように構成したことにより、閲覧を希望するユーザが、通知を受けたい場所、又は閲覧したいコンテンツデータを、ユーザ端末装置２の場所と関係付けて任意に設定することができる。このようにして、閲覧を希望するユーザに、不要若しくは陳腐なコンテンツデータを通知してしまうことを防止することができる。
【００６７】
（機能１９）
コンテンツデータの閲覧を希望するユーザは、コンテンツ通知希望・設定データ（図３参照）に閲覧希望件数を設定し、そのデータを共有サーバ装置１への位置情報通知時に同時に通知する。共有サーバ装置１は、閲覧可能なコンテンツデータのリストを作成する際に、設定された閲覧希望件数の件数でコンテンツデータを抽出し、リストを作成する。
共有サーバ装置１は、抽出した閲覧可能なコンテンツデータの数が、設定された閲覧希望件数に満たない場合は、対象とする場所の設定範囲を広げてコンテンツデータの抽出を行う。
【００６８】
共有サーバ装置１では、この機能１９の提供に必要な処理を、第１９処理部Ｐ１９で実行する。このように構成したことにより、閲覧を希望するユーザは、コンテンツデータの通知件数を設定できる。このため、抽出件数が多い場合でも、一覧性の高いリスト（適切なコンテンツデータだけを掲載したリスト）を受け取ることができる。また、初期設定条件で検索すると抽出件数が少なくなる場合でも、検索条件を緩和してコンテンツデータを抽出し、設定した通知件数を満たすリストが送信される。このようにして、閲覧を希望するユーザは、コンテンツデータの登録状況に依存することなく、一定の品質基準を満たすコンテンツデータのリストを取得することができる。
【００６９】
（機能２０）
機能２０は、コンテンツデータの登録ユーザが、コンテンツデータの種別を任意に設定できるようにする。ユーザは、コンテンツデータの登録時に種別を任意に設定することもできる。コンテンツデータの登録後に、コンテンツデータの登録ユーザがユーザ端末装置２を操作して指令を作成し、その指令を共有サーバ装置１に送信することでも、既設定の種別を更新することができる。共有サーバ装置１では、この機能２０の提供に必要な処理を、第２０処理部Ｐ２０で実行する。このように構成したことにより、コンテンツデータの検索時において、検索のヒット率を高めることができる。
【００７０】
（機能２１）
コンテンツデータの閲覧を希望するユーザは、コンテンツ通知希望・設定データ（図３参照）に閲覧希望の種別を設定した指令を作成すると共に、ユーザ端末装置２を介した共有サーバ装置１への位置情報通知時にその指令を送信する。共有サーバ装置１は、閲覧可能なコンテンツデータのリストを作成する際に、送信された閲覧希望の種別と一致する種別が設定されたコンテンツデータを抽出して、そのリストを作成する。その後、共有サーバ装置１は、閲覧希望ユーザに作成した閲覧可能なコンテンツデータのリストを送信する。
【００７１】
共有サーバ装置１では、この機能２１の提供に必要な処理を、第２１処理部Ｐ２１で実行する。このように構成したことにより、コンテンツデータの閲覧を希望するユーザが、通知を受けたいコンテンツデータの種別を任意に設定することができる。このため、ユーザは、不要なコンテンツデータの通知を受けずに済む。また、コンテンツデータに登録された種別設定と同じ種別設定をしている閲覧希望ユーザにのみ通知を行うことで、特定の条件のユーザに対してコンテンツデータを伝達することが可能となる。このようにして、コンテンツデータを作成したユーザの意図をより効果的に伝えることが可能となる。
【００７２】
（機能２２）
機能２２は、コンテンツデータの閲覧を希望するユーザが、コンテンツ通知希望・設定データ（図３参照）に登録できる項目として、機能２１に示す閲覧希望の種別の他に、ユーザ情報に設定する項目のいずれか、又は複数の項目も登録できるようにする。
【００７３】
共有サーバ装置１では、この機能２２の提供に必要な処理を、第２２処理部Ｐ２２で実行する。このように構成したことにより、コンテンツデータの閲覧を希望するユーザが、通知を受けたいコンテンツデータに、ユーザ情報を任意に設定することができる。このため、ユーザは、不要なコンテンツデータの通知を受けずに済む。また、コンテンツデータに登録されたユーザ情報設定と同じユーザ情報の設定をしている閲覧希望ユーザにのみ通知を行うことで、特定の条件のユーザに対してコンテンツデータを伝達することが可能となる。このようにして、コンテンツデータを作成したユーザの意図をより効果的に伝えることが可能となる。
【００７４】
（機能２３）
機能２３は、ユーザ端末装置２にて、共有サーバ装置１から受信した閲覧可能なコンテンツデータのリストを、コンテンツデータの登録場所（位置）を基準にして、地図上で一覧表示をする。コンテンツデータと地図データとの重ね合わせ処理は、閲覧ユーザのユーザ端末装置２で実行してもよい。共有サーバ装置１がこの重ね合わせ処理を実行し、共有サーバ装置１が、ユーザ端末装置２に、重ね合わせ後の地図データを送信してもよい。
【００７５】
共有サーバ装置１では、この機能２３（コンテンツデータと地図データとの重ね合わせ等）の提供に必要な処理を、第２３処理部Ｐ２３で実行する。このように構成したことにより、コンテンツデータの閲覧を希望するユーザは、表示されるコンテンツデータを、地図データと重ね合わせたコンテンツデータとすることができる。
【００７６】
（機能２４）
機能２４は、前述の地図上の一覧表示を、閲覧可能なコンテンツデータのリストだけを基にするのではなく、現在位置を基準にして、そこから任意の範囲で登録されているコンテンツデータを表示するようにする。現在位置ではなく、閲覧ユーザの指定した任意の場所を基準にして表示してもよい。上記の基準となる任意の範囲は、ユーザ操作により設定の変更ができるようにする。さらに、上記の基準となる任意の場所の指定は、地図表示位置を変更することによっても指定できる。東京タワーなどランドマークを基準にして指定することもできる。
【００７７】
共有サーバ装置１では、この機能２４の提供に必要な処理を、第２４処理部Ｐ２４で実行する。このように構成したことにより、コンテンツデータの閲覧を希望するユーザは、表示されるコンテンツデータを、自己が指定した基準からの一定範囲の地図データと重ね合わせたコンテンツデータとすることができる。
【００７８】
（機能２５）
機能２５は、表示されるコンテンツデータを、閲覧ユーザにより現在選択されているコンテンツとの関連性に基づいて選別できるようにする。このコンテンツとの関連性は、場所、種別、時間帯、作成者など、登録されているコンテンツデータ情報（図２）のいずれか１つの項目、又は複数の項目が一致しているか否かにより判定する。共有サーバ装置１では、この機能２５の提供に必要な処理を、第２５処理部Ｐ２５で実行する。このように構成したことにより、コンテンツデータの閲覧を希望するユーザは、選択したコンテンツデータに関連するコンテンツデータの表示も閲覧することができる。
【００７９】
（機能２６）
機能２６は、閲覧ユーザがコンテンツデータを指定した際に、指定したコンテンツデータと関連した、コンテンツデータ以外の関連情報を表示する。例えば、指定したコンテンツデータが登録された場所（採取された場所）に近い店舗の情報などを表示する。共有サーバ装置１では、この機能２６の提供に必要な処理を、第２６処理部Ｐ２６で実行する。このように構成したことにより、コンテンツデータの閲覧を希望するユーザは、指定したコンテンツデータと関連した地域情報情や、店舗、施設等の情報もコンテンツデータの表示後に閲覧することができる。
【００８０】
（機能２７）
機能２７は、閲覧希望ユーザがコンテンツデータを指定した指令を、共有サーバ装置１に送信すると、そのユーザの現在位置を出発地とし、また、コンテンツデータが登録されている場所を目的地として、その出発地と目的地との間の移動経路を探索し、そのユーザに提示する。
機能２７は、閲覧希望ユーザがコンテンツデータを複数指定した場合には、各々の登録場所が経由される、異なった特徴を持つ経路を複数作成し、そのユーザに提示する。
上記の異なった特徴とは、例えば移動時間の長短、移動費用の高安などである。
機能２７は、閲覧希望ユーザがコンテンツデータを追加指定すると、その追加指定したコンテンツデータの場所を目的地に追加するか、若しくはその場所を途中経路に設定して経路を作成する。共有サーバ装置１では、この機能２７の提供に必要な処理を、第２７処理部Ｐ２７で実行する。このように構成したことにより、コンテンツデータの閲覧を希望するユーザは、コンテンツデータが登録されている場所に到達するために必要な経路情報を取得することができる。
【００８１】
（機能２８）
機能２８は、共有サーバ装置１の第２７処理部Ｐ２７による移動経路の探索の際に、出発の日時を、閲覧希望ユーザがユーザ端末装置２を介して任意に設定することができるようにする。また、機能２８は、出発地も閲覧希望ユーザがユーザ端末装置２を介して任意に設定することができるようにする。共有サーバ装置１は、この設定された出発の日時と出発地とを、内部記憶領域（図示は省略）に記憶する。共有サーバ装置１では、この機能２８の提供に必要な処理を、第２８処理部Ｐ２８で実行する。このように構成したことにより、ユーザは、自己の出発の日時と出発地とを共有サーバ装置１に通知することができる。
【００８２】
（機能２９）
機能２９は、共有サーバ装置１が第２７処理部Ｐ２７を実行して作成した移動経路を、経路探索時に設定した上記日時の情報を基にして、ユーザ端末装置２のスケジュール管理ソフトに登録する。共有サーバ装置１では、この機能２９の提供に必要な処理を、第２９処理部Ｐ２９で実行する。
【００８３】
（機能３０）
機能３０は、共有サーバ装置１が第２７処理部Ｐ２７を実行して作成した移動経路の情報を基に、共有サーバ装置１がユーザの移動案内を実施する。共有サーバ装置１では、この機能３０の提供に必要な処理を、第３０処理部Ｐ３０で実行する。
【００８４】
（機能３１）
機能３１は、ユーザ端末装置２からの、定期的又は指令送信時に通知されるユーザ端末装置２の存在場所（位置情報）を共有サーバ装置１が受信して内部記憶領域（図示は省略）に記憶する。共有サーバ装置１では、この機能３１の提供に必要な処理を、第３１処理部Ｐ３１で実行する。
【００８５】
図５は、ユーザ端末装置２の動作手順を示すフローチャート図である。以下、図１〜４を参照しながら、図５に示すフローチャートを使用して、ユーザ端末装置２の動作手順を説明する。まず、ステップＳ１では、端末制御部２０が、端末入力部２３を介して、共有サーバ装置１に送信すべき処理要求が入力されたか否かを検証する。処理要求が入力された場合は処理がステップＳ２に進む。処理要求が入力されていない場合は処理がステップＳ８に移る。ステップＳ２では、端末制御部２０が、処理要求に対応した送信指令を作成する。
この指令は、前述の機能（機能１〜３１）に対応させることが好ましい。ステップＳ３では、端末制御部２０が、上記指令を、送受信部２１を介して、共有サーバ装置１に送信する。
【００８６】
ステップＳ４では、端末制御部２０が、共有サーバ装置１から、上記送信に対する応答が送信されるまで待機し、その応答を受信すると、処理がステップＳ５に進む。ステップＳ５では、端末制御部２０が、前記応答の受信結果から、端末表示部２４に表示するための表示データを作成する。ステップＳ６では、端末制御部２０が、表示データで表示されるコンテンツデータに、地図データを合成する選択がなされたか否かを検証する。地図データを合成する選択がなされていない場合は、処理がステップＳ７に進む。地図データを合成する選択がなされている場合は、処理がステップＳ９に移る。
【００８７】
ステップＳ７では、端末制御部２０が、表示データを、端末表示部２４に表示し、処理がステップＳ１に戻る。ステップＳ８では、端末制御部２０が、現在、本端末装置の独自判断で特定の処理要求を発信すべき条件が生じているか否かを検証する。特定の処理要求を発信すべき条件が生じている場合は処理がステップＳ２に移る。特定の処理要求を発信すべき条件が生じていない場合は処理がステップＳ１に戻る。ここで、このコンテンツデータに関する一連の処理動作を終了して、他のジョブステップに制御を引き渡しても良い。ステップＳ９では、端末制御部２０が、表示データで表示されるコンテンツデータに、地図データを合成し、処理がステップＳ７に移る。
【００８８】
図６は、共有サーバ装置１の動作手順を示すフローチャート図である。以下、図１〜４を参照しながら、図６に示すフローチャートを使用して、共有サーバ装置１の動作手順を説明する。まず、ステップＳ２１では、制御部１０が、通信部１１を介して、ユーザ端末装置２から送信された処理要求が受信されたか否かを検証する。ユーザ端末装置２から処理要求を受信していた場合は処理がステップＳ２２に進む。ユーザ端末装置２から処理要求を受信していない場合は処理がステップＳ２６に移る。ステップＳ２２では、制御部１０が、受信した処理要求を処理部Ｐ０に引き渡す。
【００８９】
ステップＳ２３では、処理部Ｐ０が、引き渡された処理要求から、前述の機能１〜３１を識別し、引き渡された処理要求を、識別結果に基づいた機能別に、前述の第１処理部Ｐ１〜第３１処理部Ｐ３１に引き渡す。ステップＳ２４では、第１処理部Ｐ１〜第３１処理部Ｐ３１が、引き渡された処理要求を処理し、処理結果を処理部Ｐ０に返す。ステップＳ２５では、処理部Ｐ０が、これらの処理結果をリストに纏めて、ユーザ端末装置２に、前述の受信の応答として送信し、その後、処理がステップＳ２１に戻る。
ステップＳ２６では、ユーザ端末装置２が、現在、本ユーザ端末装置の独自判断で特定の処理要求を発信すべき条件が生じているか否かを検証する。特定の処理要求を発信すべき条件が生じている場合は処理がステップＳ２２に移る。特定の処理要求を発信すべき条件が生じていない場合は処理がステップＳ２１に戻る。ここで、このコンテンツデータに関する一連の処理動作を終了して、他のジョブステップに制御を引き渡しても良い。
【００９０】
本発明の実施形態に係るコンテンツ共有システムの各構成要素の処理の少なくとも一部をコンピュータ制御により実行するものとする。そして、上記処理を、図５，６のフローチャートで示した手順によりコンピュータに実行させるプログラムは、半導体メモリやＣＤ−ＲＯＭや磁気テープなどのコンピュータ読み取り可能な記録媒体に格納して配付してもよい。少なくともマイクロコンピュータ、パーソナルコンピュータ、汎用コンピュータを範疇に含むコンピュータが、上記の記録媒体から上記プログラムを読み出して、実行してもよい。
以上、実施形態を参照して本願発明を説明したが、本願発明は上記実施形態に限定されない。本願発明の構成や詳細には、本願発明のスコープ内で当業者が理解し得る様々な変更をすることができる。
【００９１】
この出願は、２０１１年９月２７日に出願された日本出願特願２０１１−２１０２０９を基礎とする優先権を主張し、その開示の全てをここに取り込む。
【産業上の利用可能性】
【００９２】
本発明は、コンテンツ共有システムに適用することができる。本発明を適用したコンテンツ共有システムによれば、共有サーバ装置に登録したコンテンツデータ全体の信頼度を高めることができる効果が有る。【００９３】
（付記１）
前記複数の従属処理部は、第１５処理部をさらに備える。
前記第１５処理部は、前記共有サーバが受信した、閲覧ユーザの位置情報に対応するコンテンツデータが、複数存在する時には、前記公開範囲が狭く設定されているコンテンツデータを、他よりも優先させてユーザへ提供する。【００９４】
（付記２）
前記複数の従属処理部は、第１６処理部をさらに備える。
前記第１６処理部は、閲覧又は保存によって利用可能期間が延長されることにより、長期間に渡って存続しているコンテンツについては、前記公開範囲を再設定する。【００９５】
（付記３）
前記複数の従属処理部は、第１７処理部をさらに備える。
前記第１７処理部は、登録ユーザの設定により、コンテンツデータの閲覧又は保存が可能な回数に制約を設けることを可能とし、閲覧可能又は保存可能な残りの回数に応じて前記コンテンツデータの公開範囲を再設定する。【００９６】
（付記４）
前記複数の従属処理部は、第１８処理部をさらに備える。
前記第１８処理部は、ユーザ端末装置から、閲覧希望場所が設定されたコンテンツデータの閲覧要求が受信されていると共に、前記ユーザ端末装置が存在する位置情報が受信されている場合は、閲覧可能なコンテンツデータのリストを作成する際に、前記閲覧希望場所に一致する前記公開範囲が設定されているコンテンツデータを抽出すると共に、前記コンテンツデータのリストを作成する。【００９７】
（付記５）
前記複数の従属処理部は、第１９処理部をさらに備える。
前記第１９処理部は、ユーザ端末装置から、閲覧希望件数が設定されたコンテンツデータの閲覧要求が受信されていると共に、前記ユーザ端末装置が存在する位置情報が受信されている場合は、閲覧可能なコンテンツデータのリストを作成する際に、前記設定された閲覧希望件数の件数でコンテンツデータを抽出すると共に、前記コンテンツデータのリストを作成する。【００９８】
（付記６）
前記複数の従属処理部は、第２０処理部をさらに備える。
前記第２０処理部は、コンテンツデータを登録する時に、コンテンツデータの種別を初期設定すると共に、前記ユーザ端末装置からの要求に応じて、前記初期設定された前記種別を再設定する。【００９９】
（付記７）
前記複数の従属処理部は、第２１処理部をさらに備える。
前記第２１処理部は、コンテンツデータの閲覧要求に閲覧希望の種別が指定されている場合に、閲覧可能なコンテンツデータのリストとして、前記閲覧希望の種別と一致するコンテンツデータを抽出する。【０１００】
（付記８）
前記複数の従属処理部は、第２２処理部をさらに備える。
前記第２２処理部は、コンテンツデータを登録する時に、コンテンツデータ情報として、付記７記載の閲覧希望の種別の他に、ユーザ情報も登録する。【０１０１】
（付記９）
前記複数の従属処理部は、第２３処理部をさらに備える。
前記第２３処理部は、地図とコンテンツデータの重ね合わせ処理を行って、前記ユーザ端末装置に送信した閲覧可能なコンテンツデータのリストを、前記ユーザ端末装置の端末表示部から、各々のコンテンツデータが登録された位置を基準にした地図も併せて一覧表示できるようにする。【０１０２】
（付記１０）
前記複数の従属処理部は、第２４処理部をさらに備える。
前記第２４処理部は、前記地図も併せた一覧表示を、前記リストに含まれる閲覧可能なコンテンツデータに加えて、前記ユーザ端末装置の現在位置を基準にして任意に指定された範囲で登録されているコンテンツデータをも対象として作成する。【０１０３】
（付記１１）
前記複数の従属処理部は、第２５処理部をさらに備える。
前記第２５処理部は、表示されるコンテンツデータの選別を、閲覧ユーザにより現在選択されているコンテンツと関連したコンテンツデータも含めて行う。【０１０４】
（付記１２）
前記複数の従属処理部は、第２６処理部をさらに備える。
前記第２６処理部は、表示されるコンテンツデータの選別を、閲覧ユーザにより現在選択されているコンテンツと関連した情報も含めて行う。【０１０５】
（付記１３）
前記複数の従属処理部は、第２７処理部をさらに備える。
前記第２７処理部は、前記ユーザ端末装置から、コンテンツデータを指定した指令が受信されている場合には、前記ユーザ端末装置の現在位置を出発地とし、また、前記指定されたコンテンツデータの登録位置を目的地とする間の移動経路を探索し、前記ユーザ端末装置に送信する。【０１０６】
（付記１４）
前記複数の従属処理部は、第２８処理部をさらに備える。
前記第２８処理部は、前記移動経路の探索の際に、前記指令に含まれる出発の日時と、出発地とを、内部記憶領域に記憶しておく。【０１０７】
（付記１５）
前記複数の従属処理部は、第２９処理部をさらに備える。
前記第２９処理部は、前記探索した移動経路を、経路探索時に記憶した前記日時の情報を基にして、前記ユーザ端末装置のスケジュール管理ソフトに登録できるような形式で送信する。【０１０８】
（付記１６）
前記複数の従属処理部は、第３０処理部をさらに備える。
前記第３０処理部は、前記作成した移動経路の情報を基に、前記ユーザ端末装置を介して、前記ユーザ端末装置を携帯するユーザの移動案内を行う。【０１０９】
（付記１７）
前記複数の従属処理部は、第３１処理部をさらに備える。
前記第３１処理部は、ユーザ端末装置２からの、定期的又は指令送信時に通知される前記ユーザ端末装置２が存在する位置の情報を受信して内部記憶領域に記憶する。
【符号の説明】
【０１１０】
１  共有サーバ装置
２  ユーザ端末装置
１０  制御部
１１  通信部
１２  データベース部
１３  入力部
１４  表示部
２０  端末制御部
２１  送受信部
２２  記憶部
２３  端末入力部
２４  端末表示部
３０  通信回線網
Ｐ１〜Ｐ３１  第１〜第３１処理部
【図１】
2013047071.tif 000003
【図２】
2013047071.tif 000004
【図３】
2013047071.tif 000005
【図４】
2013047071.tif 000006
【図５】
2013047071.tif 000007
【図６】
2013047071.tif 000008
【国際調査報告】
2013047071.tif 000009
2013047071.tif 000010
2013047071.tif 000011
2013047071.tif 000012
2013047071.tif 000013
2013047071.tif 000014
2013047071.tif 000015
2013047071.tif 000016
2013047071.tif 000017
2013047071.tif 000018